(57)【要約】【課題】    液晶ディスプレイの設計及び製造コストを低減できる液晶ディスプレイの駆動方法を提供することを目的とする。【解決手段】  複数の画素から構成され、前記画素は各々が液晶及びトランジスタを含み、前記トランジスタのドレイン及びゲートは、データラインとスキャンラインとに各々接続されており、前記トランジスタのソースは液晶ユニットの第１電極に接続され、液晶ユニットの第２電極はコモン電極に接続されている液晶ディスプレイの駆動方法であって、前記トランジスタのゲート電圧を変化させることにより前記トランジスタを駆動するステップと、第一フレームの第一表示電圧を前記液晶ユニットに加えるステップと、前記トランジスタのゲート電圧を変化させることにより、ブラックフレームのブランクの表示電圧になるまで前記液晶ユニットの表示電圧を変化させるステップと、を含むものとした。【選択図】  図２
2004157539.tif 000002
【特許請求の範囲】
【請求項１】
複数の画素から構成され、前記画素は各々が液晶及びトランジスタを含み、前記トランジスタのドレイン及びゲートは、データラインとスキャンラインとに各々接続されており、
前記トランジスタのソースは液晶ユニットの第１電極に接続され、液晶ユニットの第２電極はコモン電極に接続されている液晶ディスプレイの駆動方法であって、
前記トランジスタのゲート電圧を変化させることにより前記トランジスタを駆動するステップと、
第一フレームの第一表示電圧を前記液晶ユニットに加えるステップと、
前記トランジスタのゲート電圧を変化させることにより、ブラックフレームのブランクの表示電圧になるまで前記液晶ユニットの表示電圧を変化させるステップと、を含む液晶ディスプレイの駆動方法。
【請求項２】
前記トランジスタのゲート電圧を変化させることにより、ブラックフレームのブランクの表示電圧になるまで前記液晶ユニットの表示電圧を変化させるステップの後、
前記トランジスタのゲート電圧の変化させることにより前記トランジスタを駆動させるステップと、
第二フレームの第二表示電圧を液晶ユニットに加えるステップとを更に含む請求項１に記載した液晶ディスプレイの駆動方法。
【請求項３】
複数の画素から構成され、前記画素は各々が液晶及びトランジスタを含み、前記トランジスタのドレイン及びゲートは、データラインとスキャンラインとに各々接続されており、
前記トランジスタのソースは液晶ユニットの第一電極に接続され、液晶ユニットの第二電極はコモン電極に接続されている液晶ディスプレイの駆動方法であって、
前記トランジスタのゲート電圧を変化させることにより前記トランジスタを駆動するステップと、
１フレームの表示周期内に、各画素の前記液晶ユニットにディスプレイ電圧を加えるとともに、前記トランジスタのゲート電圧を変化させることにより、ブラックフレームのブランクの表示電圧になるまで前記液晶ユニットの表示電圧を変化させるステップとを含む液晶ディスプレイの駆動方法。
【発明の詳細な説明】
【技術分野】
【０００１】
本発明は、液晶ディスプレイの駆動方法に関し、特にゲート電圧の変化を利用した駆動方法であって、液晶を持続させる形態のディスプレイにより動画反応速度の問題を改善する駆動方法に関するものである。
【背景技術】
【０００２】
従来の液晶ディスプレイ（Liquid Crystal Display）は、「ブリンクバックライト（blinking backlight）」の方式により液晶ディスプレイの応答時間を改善していたが、特有のランプと駆動回路を必要とする。そのため、液晶ディスプレイの設計を複雑にし、製造コストを増加するものとなる。
【０００３】
従来の液晶ディスプレイの駆動方法は、１フレームの表示周期内に、一つの液晶ユニットに多数のデータを入力して、液晶ディスプレイの応答時間を減少させてきた。しかしながら、この方法は液晶ディスプレイ中のデータドライバ及び走査ドライバを修正する必要があり、また液晶ユニットに入力するデータにも修正が必要なので、より高度な設計と高い製造コストを要する。
【発明の開示】
【発明が解決しようとする課題】
【０００４】
本発明の目的は液晶ディスプレイの駆動方法を改善することである。二つのデータを入力する間に、ブラックフレーム（black flame）を加えるためにゲート電圧を変化させることにより、液晶ディスプレイの応答時間を減少させるものである。そのためには、液晶ディスプレイのスキャンドライバのみを修正すればよい。よって、液晶ディスプレイの設計及び製造コストを低減できる。
【課題を解決するための手段】
【０００５】
前記目的を達成するために、本発明は、複数の画素から構成され、前記画素は各々が液晶及びトランジスタを含み、前記トランジスタのドレイン及びゲートは、データラインとスキャンラインとに各々接続されており、前記トランジスタのソースは液晶ユニットの第１電極に接続され、液晶ユニットの第２電極はコモン電極に接続されている液晶ディスプレイの駆動方法であって、前記トランジスタのゲート電圧を変化させることにより前記トランジスタを駆動するステップと、第１フレームの第１表示電圧を前記液晶ユニットに加えるステップと、前記トランジスタのゲート電圧を変化させることにより、ブラックフレームのブランクの表示電圧になるまで前記液晶ユニットの表示電圧を変化させるステップと、を含むものとした。
【０００６】
本発明に係る液晶ディスプレイの駆動方法は、前記トランジスタのゲート電圧を変化させることにより、ブラックフレームのブランクの表示電圧になるまで前記液晶ユニットの表示電圧を変化させるステップの後、前記トランジスタのゲート電圧の変化させることにより前記トランジスタを駆動させるステップと、第２フレームの第２表示電圧を液晶ユニットに加えるステップとを更に含むようにすることが望ましい。
【０００７】
また、もう一つの本発明は、複数の画素から構成され、前記画素は各々が液晶及びトランジスタを含み、前記トランジスタのドレイン及びゲートは、データラインとスキャンラインとに各々接続されており、前記トランジスタのソースは液晶ユニットの第１電極に接続され、液晶ユニットの第２電極はコモン電極に接続されている液晶ディスプレイの駆動方法であって、前記トランジスタのゲート電圧を変化させることにより前記トランジスタを駆動するステップと、１フレームの表示周期内に、各画素の前記液晶ユニットにディスプレイ電圧を加えるとともに、前記トランジスタのゲート電圧を変化させることにより、ブラックフレームのブランクの表示電圧になるまで前記液晶ユニットの表示電圧を変化させるステップとを含むものとした。
【発明の効果】
【０００８】
本発明に係る液晶ディスプレイの駆動方法によれば、ゲート電圧を変化させてブラックフレームを加えることで液晶ディスプレイの応答時間を改善できる。また、本発明によれば、液晶ディスプレイのスキャンドライバのみを修正すればよいので、液晶ディスプレイの設計及び製造コストを減少することが可能となる。
【発明を実施するための最良の形態】
【０００９】
以下、本発明についての目的、特徴、長所が一層明確に理解されるよう、実施例を例示し、図面を参照しながら、詳説する。
【００１０】
図１は、本実施例の液晶ディスプレイパネル構造を示す概略図である。図１に示されるように、液晶ディスプレイパネル２００は複数のアレイ構造の画素１００により構成され、また画素１００の各々は液晶分子の液晶コンデンサＣｌｃ、コントロールトランジスタ１０及び蓄積コンデンサＣｓｔを含む。コントロールトランジスタ１０のドレイン、ゲートは、それぞれデータライン（Ｄ１、Ｄ２、・・・〜Ｄｇ）及びスキャンライン（Ｇ１、Ｇ２、・・・〜Ｇｍ）に接続されている。コントロールトランジスタ１０のソースは液晶コンデンサＣｌｃの側面に位置する第１電極に接続し、液晶コンデンサＣｌｃ他方の側面に位置する第２電極はコモン電極Ｖｃｏｍに接続されている。また、ソースは蓄積コンデンサＣｓｔにも接続されており、その蓄積コンデンサＣｓｔは隣に位置するスキャンラインに接続されている。さらに、データラインとスキャンラインとは共に、それぞれデータドライバ２０２及びスキャンドライバ２０４に接続している。データラインとスキャンラインはイメージデータとスキャニングコントロールデータ（scanning control data）による画素をコントロールしている。
【００１１】
本実施例では、二段階のゲート電圧により駆動される液晶ディスプレイパネル２００を例にして説明を進めるが、本発明に係る液晶ディスプレイの駆動方法は多段階のゲート電圧を液晶ディスプレイパネルに適用することも可能である。
【００１２】
まず初めに、本発明に係る駆動方法に基づき、スキャンドライバ２０４はトランジスタ１０のゲート電圧を変化させてトランジスタ１０を駆動させる。次に、第１フレームの第１表示電圧を液晶コンデンサＣｌｃに加える。ゲート電圧の変換される総量は液晶コンデンサＣｌｃと連結することで、表示電圧を変化させることになる。そして、液晶コンデンサＣｌｃの表示電圧はトランジスタ１０のゲート電圧の変化によって、ブラックフレームのブランクの表示電圧に変化される。この時、ブラックフレームは液晶ユニットに表示される。最後に、スキャンドライバ２０４はトランジスタ１０のゲート電圧を変化させ、トランジスタ１０を再駆動し、第２フレームの第２表示電圧を液晶コンデンサＣｌｃに加える。
【００１３】
図２は、連続する２つのフレーム間における、３本のスキャンラインとその間の液晶の電圧波形とに関し、駆動クロックに従ってその電圧波形を示した、本実施例のグラフである。この実施例では、線反転（line inversion）を例に挙げて説明する。シグナルライン（ａ）は液晶ディスプレイパネル２００の駆動クロックである。２個の垂直な同期シグナル（vertical synchronizing signal）３１および３２間において、本実施例の図２による、連続する２つのフレーム間の連続する３本のスキャンライン及び液晶の電圧は波形変化を起こす。説明を簡便にするため、図２における３本のスキャンラインは図１のスキャンラインＧ１、Ｇ２、およびＧ３を例とする。シグナルライン（ｂ１）、（ｃ１）および（ｄ１）は電圧波形がスキャンラインＧ１、Ｇ２、及びＧ３上でそれぞれ変化するのを表している。それぞれのスキャンライン上で変化する電圧は、トランジスタ１０のゲートおける電圧変化と等しいものである。シグナルライン（ｂ２）、（ｃ１）及び（ｄ２）は、図１のｂ、ｃ、ｄポイントに各々対応するスキャンラインＧ１とＧ２、Ｇ２とＧ３、Ｇ３とＧ４の間における液晶コンデンサＣｌｃの電圧変化を示したものである。
【００１４】
図２中、電圧ＶＧＨはトランジスタ１０のスイッチがオンの状態、電圧ＶＧＬはトランジスタ１０のスイッチがオフの状態を示している。
【００１５】
垂直な同期シグナル３１の発生後、スキャンラインＧ１に連結したトランジスタ１０のゲート電圧は変化する。ゲート電圧がＶＧＨに変化した後（シグナルラインｂ１参照）、スキャンラインＧ１に連結したトランジスタ１０は駆動される。第１フレームの第１表示電圧は液晶コンデンサＣｌｃに加えられる。よって、図１のポイントｂの電圧は変化する（シグナルラインｂ２参照）。スキャンラインＧ１に連結したトランジスタ１０がスイッチオフの状態で、ゲート電圧が電圧ＶＧＬになる時、液晶コンデンサＣｌｃの電圧は第１表示電圧に等しくなる（図２の３３参照）。
【００１６】
そして、スキャンラインＧ１に連結したトランジスタ１０のゲート電圧は電圧ＶＧＬ＋に変化する（シグナルラインb１参照）。また、液晶コンデンサＣｌｃの表示電圧はブラックフレームのブランクの表示電圧とカップリングする（図２の３４参照）。この時、ブラックフレームは液晶ユニットに表示される。
【００１７】
垂直な同期シグナル３２の発生後、スキャンラインＧ１に連結したトランジスタ１０のゲート電圧は再びＶＧＨに変化する（シグナルラインｂ１参照）。ゲート電圧が電圧ＶＧＨに変化した後、スキャンラインＧ１に連結したトランジスタ１０は駆動される。また、第二フレームの第二表示電圧は液晶コンデンサＣｌｃに加えられる。
【００１８】
垂直な同期シグナル３１の発生とスキャンラインＧ１に連結したトランジスタ１０のゲート電圧が電圧ＶＧＨからＶＧＬに変化した後、スキャンラインＧに連結したトランジスタ１０のゲート電圧も変化する。また、ゲート電圧が電圧ＶＧＨに変化した後（シグナルラインｃ１参照）、スキャンラインＧ２上のトランジスタ１０は駆動される。そして第一フレームの第一表示電圧は液晶コンデンサＣｌｃに加えられる。それによって図１中のポイントｃの電圧も変化を受ける（シグナルラインｃ２参照）。スキャンラインＧ２に連結したトランジスタ１０がスイッチオフの状態で、且つ電圧がＶＧＬになった後、液晶コンデンサＣｌｃの電圧が第１表示電圧と等しくなる（図２の３３参照）。
【００１９】
次に、スキャンラインＧ２に連結したトランジスタ１０のゲート電圧は電圧ＶＧＬ−に変化する（シグナルラインｃ１参照）。そして、液晶コンデンサＣｌｃの表示電圧はブラックフレームのブランクの表示電圧にカップリングする（図２の３４参照）。この時、ブラックフレームは液晶ユニットに表示される。
【００２０】
垂直な同期シグナル３２が発生し、スキャンラインＧ１上のトランジスタ１０のゲート電圧がＶＧＨからＶＧＬに変化した後、スキャンラインＧ２連結したトランジスタ１０のゲート電圧は再び変化する（シグナルラインｃ１参照）。ゲート電圧が電圧ＶＧＨに変化した後、スキャンラインＧ２に連結したトランジスタ１０は駆動される。第二フレームの第二表示電圧が液晶コンデンサＣｌｃに加えられる。
【００２１】
垂直な同期シグナル３１が発生し、またスキャンラインＧ２に連結したトランジスタ１０のゲート電圧がＶＧＨからＶＧＬに変化した後、スキャンラインＧ３に連結したトランジスタ１０のゲート電圧は変化する。ゲート電圧が電圧ＶＧＨに変化した後（シグナルラインｄ１参照）、スキャンラインＧ３上のトランジスタ１０は駆動される。第一フレームの第一表示電圧は液晶コンデンサＣｌｃに加えられる。よって図１中のポイントｄの電圧は変化する（シグナルラインｄ２参照）。スキャンラインＧ３に連結したトランジスタ１０がスイッチオフの状態で、且つゲート電圧がＶＧＬになった後、液晶コンデンサＣｌｃの電圧が第一表示電圧と等しくなる（図２の３３参照）。
【００２２】
次に、スキャンラインＧ３に連結したトランジスタ１０のゲート電圧は、電圧ＶＧＬ＋に変化する（シグナルラインｄ１参照）。それによって、液晶コンデンサＣｌｃのディスプレイ電圧はブラックフレームのブランクの表示電圧とカップリングする（図２の３４参照）。この時、ブラックフレームは液晶ユニットに表示される。
【００２３】
垂直な同期シグナル３２が発生し、またスキャンラインＧ２上のトランジスタ１０のゲート電圧がＶＧＨからＶＧＬに変化した後、スキャンラインＧ３に連結したトランジスタ１０のゲート電圧は再び変化する。ゲート電圧が電圧ＶＧＨに変化した後（シグナルラインｄ１参照）、スキャンラインＧ３に連結したトランジスタ１０は駆動される。第二フレームの第二表示電圧は液晶コンデンサＣｌｃに加えられる。
【００２４】
本実施例では、線反転（line inversion）技術を例として、液晶ディスプレイパネル２００の連続する２つのフレーム間における、３本のスキャンラインＧ１〜Ｇ３及び電圧波形の変化を説明してきた。また液晶ディスプレイパネル２００における３本のスキャンラインＧｎ−１、Ｇｎ、及びＧｎ＋１（Ｇ１〜Ｇｍ中で連続する３本を選択）などについても、前記の説明を同様に適用できる。さらに、二列（dual‐lines）、または多列化された線反転（multi‐lines inversion）による別の駆動方法についても本発明を適用することができる。
【００２５】
以上、本発明の好適な実施例を例示したが、これは本発明を限定するものではなく、本発明の精神および範囲を逸脱しない限りにおいては、当業者であれば行い得る少々の変更や就職を付加することは可能である。従って、本発明が保護を請求する範囲は、特許請求の範囲を基準とする。
【図面の簡単な説明】
【００２６】
【図１】本実施例の液晶ディスプレイパネル構造を示す概略図である。
【図２】連続する２つのフレーム間における、３本のスキャンラインとその間の液晶の電圧波形とに関し、駆動クロックに従ってその電圧波形を示した本実施例のグラフである。
【符号の説明】
【００２７】
２００  液晶ディスプレイパネル
１０  トランジスタ
１００  画素
Ｖｃｏｍ  コモン電極
Ｃｌｃ  液晶コンデンサ
Ｃｓｔ  蓄積コンデンサ
Ｄ１、Ｄ２、Ｄ３、Ｄｇ  データライン
Ｇ１、Ｇ２、Ｇｍ  スキャンライン
２０２  データドライバ
２０４  スキャンドライバ
３１、３２  垂直な同期シグナル
３３  ディスプレイ電圧
３４  ブラックフレームの電圧
ＶＧＨ、ＶＧＬ、ＶＧＬ＋、ＶＧＬ−  スキャンライン上の電圧
【図１】
2004157539.tif 000003
【図２】
2004157539.tif 000004